(57)【要約】【課題】充電ガンが長期にわたって使用され、ケーブルの回転および歪みを生じさせることが原因で端子とケーブルとの溶接箇所で逸脱現象が起こるという事態を抑制することが可能なケーブル位置決めユニットを提供する。【解決手段】横断面が多角形の柱状体１２と、内部に形成された中空通路１４とを有する。ケーブルは中空通路１４を貫通する。柱状体１２は外力を受けて非弾性的に変形することによってケーブルを緊縛し、かつ少なくとも一つの側面が装着座の一つ内壁面に当接する。【選択図】  図１
2014236663.tif 000002
【特許請求の範囲】
【請求項１】
内部にケーブルを装着する装着座に適用されるケーブル位置決めユニットであって、
横断面が多角形である柱状体と、
内部に形成されている中空通路と、を有し、
前記中空通路は、前記ケーブルの貫通に用いられ、
前記柱状体は、外力を受けて非弾性的に変形することによってケーブルを緊縛し、かつ少なくとも一つの側面が前記装着座の一つ内壁面に当接することを特徴とするケーブル位置決めユニット。
【請求項２】
前記柱状体は、四角形柱状体であることを特徴とする請求項１に記載のケーブル位置決めユニット。
【請求項３】
前記柱状体は、六角形柱状体であることを特徴とする請求項２に記載のケーブル位置決めユニット。
【請求項４】
前記柱状体は、一端面から外部へ伸びて形成されている当接部を有し、
前記当接部は、縁部に囲まれている断面の面積が前記柱状体の横断面の面積より大きく形成されていることを特徴とする請求項１、２または３に記載のケーブル位置決めユニット。
【請求項５】
前記柱状体は、アルミニウム材料から形成されていることを特徴とする請求項４に記載のケーブル位置決めユニット。
【請求項６】
銃状体と、
当該銃状体に配置されているグリップと、
当該グリップの内部に一体成形されている装着座と、
前記グリップを貫通するケーブルと、を備える充電ガンであって、  請求項１に記載の前記ケーブル位置決めユニットをさらに備え、
前記ケーブル位置決めユニットは、前記装着座の内部に配置され、前記ケーブルの固定に用いられることを特徴とする充電ガン。
【請求項７】
前記柱状体は、四角形柱状体であることを特徴とする請求項６に記載の充電ガン。
【請求項８】
前記柱状体は、六角形柱状体であることを特徴とする請求項６に記載の充電ガン。
【請求項９】
前記柱状体は、一端面から外部へ伸びて形成されている当接部を有し、
前記当接部は、縁部に囲まれている断面の面積が前記柱状体の横断面の面積より大きく形成されていることを特徴とする請求項６、７または８に記載の充電ガン。
【請求項１０】
前記柱状体は、アルミニウム材料から形成されていることを特徴とする請求項７または８に記載の充電ガン。
【発明の詳細な説明】
【技術分野】
【０００１】
本発明は、ケーブル位置決めユニット、および、それを用いた充電ガンに関するものである。
【背景技術】
【０００２】
ケーブルは、電気信号を伝送するために多くの機器に使用され、かつよく知られる基本の部品である。特許文献１には、信号伝送の安定性を保つために、伝送ケーブルの振動を抑制する保護装置が開示されている。この保護装置は、管状ケースと、ケースの内周面に沿って内側に突出した構造部とを有し、かつ構造部と伝送ケーブルとを相互に当接させて生じた摩擦力によって伝送ケーブルを固定し、かつ環境からの振動が伝送ケーブルに影響を与えることを抑制する。この保護装置は、環境からの振動を抑制できるが、突起状構造部が摩擦力のみによって伝送ケーブルを固定するため、伝送ケーブルの回転を効果的に抑制することはできない。
【０００３】
一方、電気自動車技術の発展に伴って市場での充電ガンの需要性が高まっている。充電ガンのコネクタは、数万回以上の着脱作業に耐えなければならないため、充電ガンの構造において、付属品が一定の引張強度に耐えられなければ、端子と電線はケーブルに引っ張られ、溶接箇所から逸脱することを避けることができない。一方、操作上の利便性を向上させるために、充電ガンの銃状体とグリップとは一定の角度まで湾曲するように形成されている。従って、配線作業員は、銃状体およびグリップ内部の電線を固定する際、弾性のあるプラスチックをケーブルの表面に被せ、銃状体およびグリップの湾曲方向に沿ってケーブル全体を充電ガンに詰め込むことによって充電ガンの内部のケーブルの歪みを抑制する。よって、ケーブル装着作業の効率が低下する。
【先行技術文献】
【特許文献】
【０００４】
【特許文献１】米国特許４３９４５３１号明細書
【発明の概要】
【発明が解決しようとする課題】
【０００５】
本発明は、充電ガンが長期にわたって使用され、ケーブルの回転および歪みを生じさせることが原因で端子とケーブルとの溶接箇所で逸脱現象が起こるという事態を抑制することが可能なケーブル位置決めユニット、およびそれを用いた充電ガンを提供することを主な目的とする。
【０００６】
また、本発明は、ケーブル装着作業の効率を向上可能なケーブル位置決めユニット、およびそれを用いた充電ガンを提供することをもう一つの目的とする。
【課題を解決するための手段】
【０００７】
上述の目的を達成するために、本発明によるケーブル位置決めユニットは、内部にケーブルを装着する装着座に適用され、横断面が多角形である柱状体と、内部に形成されている中空通路とを有する。ケーブルは、中空通路を貫通する。柱状体は、外力を受けて非弾性的に変形することによってケーブルを緊縛し、かつ少なくとも一つの側面が装着座の一つ内壁面に当接する。
【０００８】
ケーブル位置決めユニットは、金属製であることが理想的である。配線作業員は、機械を使ってケーブル位置決めユニットを非弾性的に変形させれば、ケーブルを緊縛および固定することができる。一方、充電ガンは、内部に内側に突出した複数の内壁面を有する。内壁面は、ケーブル位置決めユニットの複数の側面に当接する。充電ガンを操作する際、ケーブルを緊縛したケーブル位置決めユニットは側面と内壁面とが相互に当接して生じた固定力によってケーブルの回転と、端子とケーブルとの溶接箇所での逸脱現象とを抑制し、充電ガンの寿命を延長することができる。
【０００９】
ケーブル位置決めユニットは柱状体の一端面に沿って外部へ伸びて形成された当接部を有するのが理想的である。当接部は断面積が柱状体の断面積より大きい。ケーブル位置決めユニットの役割は、ケーブルの軸方向に沿って当接部を銃状体の内壁面に当接させ、内部の電線がケーブルの重力を受けて軸方向偏移を生じるという事態を抑制することである。
【図面の簡単な説明】
【００１０】
【図１】本発明の一実施形態によるケーブル位置決めユニットを示す斜視図である。
【図２】本発明の一実施形態によるケーブル位置決めユニットと装着座とが結合した状態を示す斜視図である。
【図３】本発明の一実施形態による充電ガンを示す分解斜視図である。
【図４】本発明の一実施形態による充電ガンを示す斜視図である。
【発明を実施するための形態】
【００１１】
以下、本発明の実施形態によるケーブル位置決めユニットおよびそれを用いた充電ガンを図面に基づいて説明する。
【００１２】
（一実施形態）
図１から図４に示すように、本発明の一実施形態による充電ガン１は、銃状体３０と、銃状体３０に配置されたグリップ５０と、グリップ５０の内部に一体成形された装着座６０と、グリップ５０を貫通するケーブル２０と、装着座６０の内部に配置されかつケーブル２０の装着および固定に用いるケーブル位置決めユニット１０とを有する。ケーブル位置決めユニット１０は、横断面が多角形の柱状体１２と、内部に形成された中空通路１４とを有する。ケーブル２０は中空通路１４を貫通する。柱状体１２は外力を受けて非弾性的に変形することによってケーブル２０を緊縛し、かつ少なくとも一つの側面が装着座６０の一つ内壁面に当接する。
【００１３】
本実施形態において、充電ガン１の銃状体３０は上シェル部３１および下シェル部３２から構成され、上シェル部３１と下シェル部３２との間に形成された空間および複数の内壁面によって充電ガン１の内部の付属品を格納および固定する。銃状体３０は一端に形成されたコネクタ４０と、他端に形成されたグリップ５０とを有する。人間工学およびユーザーの習慣に対応するために、グリップ５０は銃状体３０の下方の一定の角度まで湾曲するように設計される。
【００１４】
柱状体１２は、中空の六角形を呈し、アルミニウムなどの金属材料から製作され、中空部位の断面積がケーブル２０より大きいため、ケーブル２０は柱状体１２を貫通できる。配線作業員は機械を使って柱状体１２の少なくとも一つの側面に力を加え、柱状体１２を内部へ非弾性的に変形させて陥没部１１を形成することによってケーブル２０を緊縛することができる。柱状体１２は装着座６０の第一内壁面３２１および第二内壁面３２２に別々に当接する二つの当接面１２１を有するため、ケーブル位置決めユニット１０の効果を果し、かつ充電ガンが長期にわたって使用され、ケーブル２０の回転および歪みを生じさせたことが原因でケーブル位置決めユニット１０とその内部のケーブル２０を回転させてしまうという事態を抑制することができる。本実施形態では当接面の数に限定されず、一つの当接面と内壁面とを相互に当接させることによってのみケーブル位置決めユニット１０の効果を果たすことができる。一方、柱状体１２は四角形柱状体または効果が同等な構造であってもよい。
【００１５】
本実施形態において、ケーブル位置決めユニット１０は一端面から外部へ伸びて形成された当接部１３を有する。当接部１３は装着座６０に当接し、かつ辺縁で囲んだ面積が柱状体１２の横断面の面積より大きいため、ケーブル２０の軸方向に沿って第三内壁面３２３に当接することができる。ケーブル位置決めユニットの役割は内部の電線２１がケーブル２０の重力によって引っ張られ、軸方向偏移を生じることが原因で端子と電線２１の溶接箇所で逸脱現象が起こるという事態を抑制することである。
【００１６】
当接部１３は、補助機能に過ぎず、必ずしも必要なユニットではない。他の実施形態では柱状体１２の端面のみを第三内壁面３２３に当接させてもケーブルの移動を抑制することができる。
【００１７】
上述した構造により、ケーブル２０の外周面にケーブル位置決めユニット１０を被せれば、ケーブル位置決めユニット１０とともにケーブル２０を装着座６０内に固定し、装着作業の効率を大幅に向上させることができる。
【００１８】
以上、本発明は、上記実施形態になんら限定されるものではなく、発明の趣旨を逸脱しない範囲において種々の形態で実施可能である。
【符号の説明】
【００１９】
１：充電ガン、
１０：ケーブル位置決めユニット、
１１：陥没部、
１２：柱状体、
１２１：当接面、
１３：当接部、
１４：中空通路、
２０:ケーブル、
２１：電線、
３０：銃状体、
３１：上シェル部、
３２：下シェル部、
３２１：第一内壁面、
３２２：第二内壁面、
３３３：第三内壁面、
４０：コネクタ、
５０：グリップ、
６０：装着座。
【図１】
2014236663.tif 000003
【図２】
2014236663.tif 000004
【図３】
2014236663.tif 000005
【図４】
2014236663.tif 000006